【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
着座面を有する便座と、
前記便座の前記着座面の裏面側に設けられる便座ヒータと、
前記便座の温度を測定する温度測定部と、
前記便座ヒータへの通電を制御する制御部とを備え、
前記便座ヒータは、線状ヒータが第１の金属箔と第２の金属箔との間に狭持されるとともに前記第１の金属箔と前記第２の金属箔とが粘着剤により貼り合わされることにより形成され、
前記線状ヒータと前記第１および第２の金属箔との間に形成される隙間には前記粘着剤が充填され、
前記粘着剤は、温度が低いときに粘着力が強く、温度が上昇するにつれて粘着力が弱くなる特性を有し、
前記線状ヒータの発熱により前記線状ヒータ近傍の粘着剤の粘着力が低下することで、前記線状ヒータを前記粘着剤が取り囲む範囲内において、前記線状ヒータが前記第１の金属箔と前記第２の金属箔との間で遊動状態となり、
前記線状ヒータから離れた箇所では、前記粘着剤の粘着力が維持されることを特徴とする便座装置。
【請求項２】
着座面を有する便座と、
前記便座の前記着座面の裏面側に設けられる便座ヒータと、
前記便座の温度を測定する温度測定部と、
前記便座ヒータへの通電を制御する制御部とを備え、
前記便座ヒータは、線状ヒータが第１の金属箔と第２の金属箔との間に狭持されるとともに前記第１の金属箔と第２の金属箔とが粘着剤により貼り合わされることにより形成され、
前記線状ヒータは、エナメル線がフッ素樹脂からなる絶縁被覆層にて被覆されることにより構成されたことを特徴とする便座装置。
【請求項３】
前記絶縁被覆層はフッ素樹脂であるＰＦＡ樹脂で形成された請求項２に記載の便座装置。
【請求項４】
前記制御部は、前記便座の温度を待機状態から人が使用する設定温度まで昇温させる際に、前記待機状態時に前記線状ヒータに供給される電力よりも大きい電力が前記線状ヒータに供給されるように前記線状ヒータへの通電を制御することを特徴とする請求項１〜３のいずれか１項に記載の便座装置。
【請求項５】
トイレットルーム内に設けられるトイレ装置であって、
請求項１〜４のいずれか１項に記載の便座装置と、
使用者のトイレットルームへの入室を検知する入室検知センサとを備え、
前記制御部は、前記入室検知センサにより入室が検出されると、前記待機状態時に前記便座ヒータに供給される電力よりも大きな電力が前記便座ヒータに供給されるように前記便座ヒータへの通電を制御することを特徴とするトイレ装置。
【手続補正２】
【補正対象書類名】明細書
【補正対象項目名】０００８
【補正方法】変更
【補正の内容】
【０００８】
（１）本実施の形態に係る便座装置は、着座面を有する便座と、便座の着座面の裏面側に設けられる便座ヒータと、便座の温度を測定する温度測定部と、便座ヒータへの通電を制御する制御部とを備え、便座ヒータは、線状ヒータが第１の金属箔と第２の金属箔との間に狭持されるとともに第１の金属箔と第２の金属箔とが粘着剤により貼り合わされることにより形成され、線状ヒータと第１および第２の金属箔との間に形成される隙間には粘着剤が充填され、粘着剤は、温度が低いときに粘着力が強く、温度が上昇するにつれて粘着力が弱くなる特性を有し、線状ヒータの発熱により線状ヒータ近傍の粘着剤の粘着力が低下することで、線状ヒータを粘着剤が取り囲む範囲内において、線状ヒータが第１の金属箔と第２の金属箔との間で遊動状態となり、線状ヒータから離れた箇所では、粘着剤の粘着力が維持されているものである。
（２）着座面を有する便座と、便座の着座面の裏面側に設けられる便座ヒータと、便座の温度を測定する温度測定部と、便座ヒータへの通電を制御する制御部とを備え、便座ヒータは、線状ヒータが第１の金属箔と第２の金属箔との間に狭持されるとともに第１の金属箔と第２の金属箔とが粘着剤により貼り合わされることにより形成され、線状ヒータは、エナメル線がフッ素樹脂からなる絶縁被覆層にて被覆されることにより構成されてもよい。
【手続補正３】
【補正対象書類名】明細書
【補正対象項目名】００１３
【補正方法】変更
【補正の内容】
【００１３】
（３）絶縁被覆層はフッ素樹脂であるＰＦＡ樹脂で形成されてもよい。
【手続補正４】
【補正対象書類名】明細書
【補正対象項目名】００１５
【補正方法】変更
【補正の内容】
【００１５】
（４）制御部は、便座の温度を待機状態から人が使用する設定温度まで昇温させる際に、待機状態時に線状ヒータに供給される電力よりも大きい電力が線状ヒータに供給されるように線状ヒータへの通電を制御してもよい。
（５）第２の発明に係るトイレ装置は、トイレットルーム内に設けられるトイレ装置であって、第１の発明に係る便座装置と、使用者のトイレットルームへの入室を検知する入室検知センサと、入室検知センサを備え、制御部は、入室検知センサにより入室が検出されると、待機状態時に便座ヒータに供給される電力よりも大きな電力が便座ヒータに供給されるように便座ヒータへの通電を制御するものである。
【手続補正５】
【補正対象書類名】明細書
【補正対象項目名】０１５６
【補正方法】変更
【補正の内容】
【０１５６】
さらに、制御部９０は、ステップＳ２において、使用者の入室を検知した後、便座開閉判別動作を行ってもよい。この場合、制御部９０は、便座部４００が閉状態であるときにステップＳ３の動作を行い、便座部４００が開状態であるときに便器洗浄処理を終了する。これにより、不必要な便器プレ洗浄が防止される。
【手続補正６】
【補正対象書類名】明細書
【補正対象項目名】０４３２
【補正方法】変更
【補正の内容】
【０４３２】
このとき、制御部９０は、人体用切替弁１３を制御することにより、使用者による局部の洗浄後にノズル部２０に供給される洗浄水をノズル洗浄ノズル２３に送ってもよい。これにより、使用者の局部の洗浄後のおしりノズル２１およびビデノズル２２の先端が洗浄される。
【手続補正７】
【補正対象書類名】明細書
【補正対象項目名】０５７３
【補正方法】変更
【補正の内容】
【０５７３】
また、本例では、第１系列Ａの蛇行形状の線状ヒータ４６０での電流の向きが第２系列Ｂの蛇行形状の線状ヒータ４６０での電流の向きと逆になる。それにより、線状ヒータ４６０から発生する電磁波が互いが打ち消される。その結果、ノイズの発生が防止される。
【手続補正８】
【補正対象書類名】明細書
【補正対象項目名】０６１７
【補正方法】変更
【補正の内容】
【０６１７】
ＰＦＡは、フッ素樹脂の一種である。これにより、ＰＦＡは、粘着剤または接着剤に対する濡れ性が低い。そのため、後述するように、線状ヒータ４６０が粘着層４５２ｂを用いて金属箔４５１と金属箔４５３との間に取り付けられる場合でも、線状ヒータ４６０は粘着層４５２ｂにより強固に固定されない。
【手続補正９】
【補正対象書類名】明細書
【補正対象項目名】０６１８
【補正方法】変更
【補正の内容】
【０６１８】
それにより、線状ヒータ４６０は、金属箔４５１と金属箔４５３との間で遊動することが可能である。したがって、線状ヒータ４６０が伸縮する場合でも、伸縮時に発生する応力が局所的に集中することなく拡散される。その結果、上述の熱応力緩衝部により確実に線状ヒータ４６０の伸縮が吸収される。
【手続補正１０】
【補正対象書類名】明細書
【補正対象項目名】０６４８
【補正方法】変更
【補正の内容】
【０６４８】
また、本例においては、線状ヒータ４６０の熱を便座ケーシング４１０に効率よく伝達するために、線状ヒータ４６０をアルミ箔４５１，４５３で挟んでいる。ここで、本例の線状ヒータ４６０においては、エナメル層４６３ｂおよび絶縁被覆層４６２を薄くできるので、線状ヒータ４６０の外径を細く（約φ０．２〜φ０．４）できる。この場合、アルミ箔４５１とアルミ箔４５３とを貼り合わせる際に、アルミ箔４５１とアルミ箔４５３との間の空気層を小さくすることができるとともに、アルミ箔４５１，４５３のしわを少なくすることができる。それにより、エナメル線４６３の局所高熱が抑制され、エナメル線４６３の断線および電気絶縁層（エナメル層４６３ｂおよび絶縁被覆層４６２）の損傷が防止される。その結果、便座装置１１０の長寿命化が可能になる。
【手続補正１１】
【補正対象書類名】明細書
【補正対象項目名】０６９４
【補正方法】変更
【補正の内容】
【０６９４】
この場合、Ｃａ−Ｃａ線部分の便座ヒータ４５０の幅は、着座面４１０Ｕの前方側の幅Ｗ４１ａとほぼ同じに形成される。また、Ｃｂ−Ｃｂ線部分の便座ヒータ４５０の幅は、着座面４１０Ｕの後方側の幅Ｗ４１ｂとほぼ同じに形成される。
【手続補正１２】
【補正対象書類名】明細書
【補正対象項目名】０７７３
【補正方法】変更
【補正の内容】
【０７７３】
さらに、上部便座ケーシング４１０の裏面の金属箔４５１と絶縁被覆層４６２との間に耐熱絶縁層４５５が設けられる場合、耐熱絶縁層４５５により発熱線４６３ａと上部便座ケーシング４１０のアルミニウム板４１３とをより確実に絶縁することができる。